(57)【要約】針と、針を保持するための本体と、少なくとも針の先端を保護するためのキャップと、を備えており、本体及びキャップの少なくとも一方が成形されており、本体及びキャップが、本体又はキャップの成形中に、互いに結合されており、本体とキャップとの間の境界面における、単位面積当たりの結合力が、本体及びキャップの両方の内部の結合力より小さい、ことを特徴とする、ランセットを開示している。これにより、キャップをねじって外すよりも引っ張って外すのを容易にできる。また、針と、針を保持するための本体と、少なくとも針の先端を保護するためのキャップと、を備えており、本体が第１係合形態を有し、キャップが第２係合形態を有しており、一旦、キャップがランセットの残りから取り外されると、キャップが本体によって運ばれるように両係合形態が互いに係合できるよう、両係合形態が形成されている、ことを特徴とする、ランセットを開示している。このようなランセットのスタックを備えると、第１ランセットのキャップは、次のランセットの本体等によって運ばれることができる。
2008541906.tif 000002
【特許請求の範囲】
【請求項１】
ランセットが、
針と、
針を保持するための本体と、
少なくとも針の先端を保護するためのキャップと、を備えており、
本体及びキャップの少なくとも一方が成形されており、
本体及びキャップが、本体又はキャップの成形中に、互いに結合されており、本体とキャップとの間の境界面における、単位面積当たりの結合力が、本体及びキャップの両方の内部の結合力より小さい、ことを特徴とする、ランセット。
【請求項２】
本体とキャップとの間の境界面における、単位面積当たりの結合力が、本体及びキャップの両方の内部の結合力より相当小さい、請求項１記載のランセット。
【請求項３】
キャップが、本体に直接接触している、請求項１又は２に記載のランセット。
【請求項４】
本体とキャップとの間の境界面が、実質的には、接着剤を有していない、請求項１〜３のいずれか１つに記載のランセット。
【請求項５】
本体とキャップとが、本体又はキャップの最大断面積の少なくとも半分に相当する領域に亘って、共に結合されている、請求項１〜４のいずれか１つに記載のランセット。
【請求項６】
本体とキャップとの間の境界面が、針の断面積よりも相当大きく、好ましくは１５倍大きく、更に好ましくは２０倍大きく、より更に好ましくは４０倍大きい、請求項１〜５のいずれか１つに記載のランセット。
【請求項７】
本体及びキャップの両方が成形されている、請求項１〜６のいずれか１つに記載のランセット。
【請求項８】
まず、本体及びキャップの一方が成形され、次に、それに対して、本体及びキャップの他方が成形されることによって、作られている、請求項７記載のランセット。
【請求項９】
針が曲がったり壊れたりする危険性なく、針がキャップを実質的に貫通するのを可能とする材料で、キャップができている、請求項１〜８のいずれか１つに記載のランセット。
【請求項１０】
キャップが、シリコン、ポリテトラフルオロエチレン、又は油性ワックスを、含んでいる、請求項１〜９のいずれか１つに記載のランセット。
【請求項１１】
本体が、低密度ポリエチレン、高密度ポリエチレン、ポリプロピレン、又はポリスチレンで、構成されている、請求項１〜１０のいずれか１つに記載のランセット。
【請求項１２】
キャップが、熱可塑性エラストマー、ポリ塩化ビニル、低密度ポリエチレン、エチレン酢酸ビニル、シリコンゴム、ポリウレタン、又は熱可塑性ウレタンで、できている、請求項１〜１１のいずれか１つに記載のランセット。
【請求項１３】
針が、本体及びキャップの両方に埋め込まれている、請求項１〜１２のいずれか１つに記載のランセット。
【請求項１４】
針が、キャップの中よりも本体の中で、より強く掴まれている、請求項１３記載のランセット。
【請求項１５】
針が、本体の中で、４〜２５ｍｍ、好ましくは５〜１５ｍｍ、好ましくは５〜１２ｍｍ、より更に好ましくは６〜８ｍｍ、の長さに亘って掴まれている、請求項１３又は１４に記載のランセット。
【請求項１６】
針が、キャップの中に、２〜５ｍｍ、好ましくは２〜４ｍｍ、更に好ましくは約３ｍｍ、の長さに亘って埋め込まれている、請求項１３〜１５のいずれか１つに記載のランセット。
【請求項１７】
本体とキャップとの間の分離力を、針の軸に対して実質的には平行な方向に、加えることによって、キャップをランセットの残りから取り外すのを容易にする、１以上の係合機構、好ましくは孔を、キャップ及び／又は本体が備えている、請求項１〜１６のいずれか１つに記載のランセット。
【請求項１８】
キャップを本体から分離するのに必要とされる力が、０．５〜８Ｎ、好ましくは１〜４Ｎ、更に好ましくは２〜３Ｎである、請求項１〜１７のいずれか１つに記載のランセット。
【請求項１９】
まず、針の一部の周囲に、本体及びキャップの一方を成形し、その後、それに対して、本体及びキャップの他方を成形する、請求項１〜１８のいずれか１つに記載のランセットの製造方法。
【請求項２０】
ランセットが、
針と、
針を保持するための本体と、
少なくとも針の先端を保護するためのキャップと、を備えており、
本体が第１係合形態を有し、キャップが第２係合形態を有しており、
一旦、キャップがランセットの残りから取り外されると、キャップが本体によって運ばれるように両係合形態が互いに係合できるよう、両係合形態が形成されている、ことを特徴とする、ランセット。
【請求項２１】
両係合形態が、本体とキャップとの間の相対的なスライド移動によって、係合される、請求項２０記載のランセット。
【請求項２２】
スライド移動が、針の軸に対して、実質的には平行である、請求項２１記載のランセット。
【請求項２３】
一旦、両係合形態が係合されると、本体からのキャップの分離に抵抗するように、両係合形態が形成されている、請求項２０〜２２のいずれか１つに記載のランセット。
【請求項２４】
上記複数のランセットの第２ランセットに対して、上記複数のランセットの第１ランセットが相対的にスライド移動した結果、第１ランセットの第２係合形態が、第２ランセットの第１係合形態と係合される、請求項２０〜２３のいずれか１つに記載の複数のランセット。
【請求項２５】
ランセットが、実質的には、互いに直接隣接するよう、配置されている、請求項２４記載の複数のランセット。
【請求項２６】
請求項２４又は２５に記載の複数のランセットを提供することと、
第１ランセットの第２係合形態を第２ランセットの第１係合形態に係合させるよう、上記相対的なスライド移動を行うことと、
第１ランセットの本体から第１ランセットのキャップを取り外すよう、上記スライド移動を継続することと、を備えていることを特徴とする方法。
【請求項２７】
上記相対的なスライド移動を行うことが、第１ランセットの第２係合形態を第２ランセットの第１係合形態に係合させるよう、第１ランセットのキャップに押圧力を加えることを、含んでおり、
上記スライド移動を継続することが、第１ランセットの本体から第１ランセットのキャップを取り外すよう、第１ランセットの本体に引張力を加えることを、含んでいる、請求項２６記載の方法。
【請求項２８】
複数のランセットであって、各ランセットが、
針と、
針を保持するための本体と、
少なくとも針の先端を保護するためのキャップと、を備えており、
第１ランセットのキャップが係合形態を有しており、第２ランセットの本体が協働する係合形態を有しており、
第１ランセットのキャップが第２ランセットの本体によって運ばれるよう、両係合形態が互いに係合できるように、両係合形態が形成されている、ことを特徴とする複数のランセット。
【発明の詳細な説明】
【技術分野】
【０００１】
本発明は、例えば、皮膚に刺し血液の液滴を取り出すための、ランセットに関するものである。
【０００２】
ランセットは、当業者にとって周知のものである。多くのランセットは、一端に鋭い先端を有し、反対端は本体に埋め込まれている、針を備えている。この明細書では、針の先端が位置している側の端部を「末端部」と、反対端を「基端部」と呼ぶ。同じ言葉は、ここに記載する他の部分の方位又は方向、又は作動の指定に使用される。
【背景技術】
【０００３】
針は通常金属でできている。多くの既知のランセットはまた、先端及びユーザーを保護するだけでなく、先端の無菌状態を維持するために、針の末端部に配置されたキャップを備えている。特許文献１は、ランセットで切開する装置に組み込まれることができる、ランセットを開示している。この文書では、キャップは、ランセットに対して上に射出成形されることができ、その結果、キャップは、ホルダー（本体）に、一体成形で連続させることができる、と記載されている。上述の文献に記載されたランセットを使用する前には、キャップを取り外す必要がある。これは、本体に対して、キャップをねじる又は回転させることによって行われる。キャップの取り外しを容易にするために、上記手法は、キャップから本体への変わり目において、弱くなる領域を、提示する。上記手法は、針の両側に、間隔を開けた、２つの材料ウェブの使用を、示唆している。キャップがねじられると材料ウェブが切断され、ランセットから取り外すために、キャップを末端部方向に、移動させることができる。
【特許文献１】国際公開第０３／０７１９４０号
【発明の開示】
【発明が解決しようとする課題】
【０００４】
本発明の発明者は、上記手法の欠点を認識している。彼らは、用途によっては、キャップをねじって取り外すのではなく、スライドさせて取り外すほうが好ましいと、評価している。第１に、ねじる行為は、２つの作業（最初キャップをねじり、次に、針からスライドさせる）が必要であるのに対し、単純にキャップをスライドさせて外す行為（ねじる行為は必要ない）は、１つのみの行為を必要とする。第２に、特に円筒状でない針を使用する場合、ねじる動きの結果、特に針がプラスチック材料でできている場合、針が変形する（螺旋状となる）危険性がある。
【０００５】
スライドによる上述のキャップ取り外しは、通常、キャップをねじって取り外す場合に必要とされる力より大きな力を必要とする。本体とキャップの間の変わり目を極めて薄くすることによって、必要とされる力を低減することができるが、この変わり目は、もはや針の無菌状態を保証することはできない。
【０００６】
本発明は、これらの問題の少なくとも１つを解決することを目的とする。
【課題を解決するための手段】
【０００７】
本発明の１以上の特徴は、独立請求項において、述べられている。
【０００８】
ここに開示された実施形態では、ランセットは、針と、針を保持するための本体と、少なくとも針の先端を保護するためのキャップと、を備えており、本体及びキャップの少なくとも一方が成形されており、本体及びキャップが、本体又はキャップの成形中に、互いに結合されており、本体とキャップとの境界面における、単位面積当たりの結合力が、本体及びキャップの両方の内部の結合力より小さい。
【０００９】
本発明の実施形態において、本体又はキャップの内部の単位面積当たりの結合力は、各々、本体又はキャップの内部の（単位面積当たりの）引張強度を、むしろ意味する。
【００１０】
上記の先行技術では、本体とキャップの間の変わり目を比較的薄くすることによって、弱くすることを達成しているが、本実施形態では、このようなことは、必ずしも必要でない。それは、キャップの取り外しを容易とする、本体とキャップの間の、比較的弱い結合の条件である。そのような弱い結合力は、例えば、まず、針の基部の周囲の本体を成形し、その後、針の末端部の上にあるそれに対するキャップを成形し、本体とキャップとは異なる材料でできている、ことによって達成される。本体からキャップが偶然分離するのを防止するために、本体とキャップとの間の境界面には、ある程度の結合力があることが好ましく、キャップがランセットの残りから容易にスライドさせて外すことができるように、その結合は、比較的弱いことが好ましい。本体とキャップに対して適切な材料が選定されるとすると、境界面における、キャップ分子と本体分子との結合は、隣接した本体分子の結合又は隣接したキャップ分子の結合と比べると、より弱くなる。
【００１１】
境界面を比較的大きくすることは（しかし、比較的弱い結合力で）、また、横方向荷重、すなわちキャップに対して半径方向に加えられる荷重、に対するある程度の保護が備えられるという有利な点がある。上記先行技術のキャップに横方向荷重が加えられると、針が曲がるという危険があり、薄い材料ウェブは通常、横方向荷重に対して、なんら有効な保護を備えられない。反対に、本発明によるランセットキャップに加えられる横方向荷重が、針を曲げるのに十分大きい場合、本体からキャップが分離することも期待できる（したがって、ランセットが損傷するという事実は容易に気づくことができる）。先行技術のランセットでは必ずしもそうとは限らないが、薄い材料ウェブは、針を曲げる荷重によって、必ずしも切断されるわけではない。
【００１２】
別の実施形態によれば、針と、針を保持するための本体と、少なくとも針の先端を保護するためのキャップと、を備えたランセットが提供される。それにおいては、本体が第１係合形態を有し、キャップが第２係合形態を有しており、一旦、キャップがランセットの残りから取り外されると、キャップが本体によって運ばれるように両係合形態が互いに係合できるよう、両係合形態が形成されている。
【００１３】
必ずしも、使用において、ランセットのキャップが、同じランセットの本体によって運ばれると、意図するわけではないが、協働する係合形態の条件は、第１ランセットのキャップを、（類似の形態の）第２ランセットの本体に係合させ、且つ、第２ランセットの本体によって運ばれる、ことを可能としている。これは、複数のランセットがスタックとして設けられる場合、有益である。
【００１４】
別の実施形態によれば、各々のランセットが、針と、針を保持するための本体と、少なくとも針の先端を保護するためのキャップと、を備えた、複数のランセットが提供される。それにおいては、第１ランセットのキャップが係合形態を有し、第２ランセットの本体は協働する係合形態を有しており、第１ランセットのキャップが第２ランセットの本体によって運ばれるよう、両係合形態が互いに係合できるように、両係合形態が形成されている。
【００１５】
本発明のいくつかの好ましい実施形態が、一例としてのみ及び添付図面を参照して、記載される。
【発明を実施するための最良の形態】
【００１６】
図１に示すように、第１実施形態のランセット１は、本体１０と、本体１０の末端部に一部が挿入され且つ該末端部から一部が突出している針２０と、を備えている。針２０は、例えば、金属、セラミック材料、又はプラスチック材料でできていてもよい。本体１０は、例えば、針２０の基部の周囲に成形された、プラスチック材料から、製造できる。本体１０は、例えば、針２０の軸に対して概ね垂直方向に、本体１０内に延びた又は本体１０を貫いた、孔１２、１４のような、多数の係合機構により形成されている。係合機構１２、１４は、ランセット装置（図示しない）内で本体１０を保持し及び／又は移動させるのに、使用できる。
【００１７】
図２は、図１のランセットの使用前を示している。図１と比較して、図２に示されるランセットは、針２０の末端部を保護するキャップ３０を更に有している。キャップ３０は、例えば、プラスチック材料でできていてもよく、針２０の末端部の周囲に射出成形されてもよい。
【００１８】
図２に示すように、キャップ３０は、本体１０と同じ高さ及び同じ幅を有している。キャップ３０は、境界面２５で本体１０と接する。この境界面は、針２０の部分と比べて、比較的大きい。これは、針２０を無菌状態に維持するのに役立つことができる。キャップ３０及び本体１０の断面を、製造上の考慮又はランセット１の使用に関する考慮によって、異なる寸法としたり、又は寸法を変化させたりすることも、可能である。しかしながら、キャップ３０は、比較的大きな面積で本体１０と接触することが、好ましい。
【００１９】
本体１０は、キャップ３０が形成される前に、針２０の周囲に成形されることが、好ましい。また、本体１０及びキャップ３０は、異なる材料でできていることが、好ましい。例えば、まず、本体１０が、低密度ポリエチレン、高密度ポリエチレン、ポリプロピレン、又はポリスチレンを、針２０の周囲に射出成形して、作られる。その後、キャップ２０が、それに対して、好ましくは、熱可塑性エラストマー（ＴＰＥ）、ポリ塩化ビニル（ＰＶＣ）、低密度ポリエチレン、エチレン酢酸ビニル（ＥＶＡ）、シリコンゴム、ポリウレタン、又は熱可塑性ウレタン（ＴＰＵ）を、成形して、作られる。キャップを成形する間に、キャップは、本体に結合するが、キャップ３０と本体１０との間の境界面におけるこの結合は、比較的弱い。代わりに、まず、針２０の末端部の周囲にキャップ３０を成形し、次に、それに対する本体１０を針２０の基部の周囲に成形することも、可能である。
【００２０】
コンパクトにするために、本体１０によって掴まれる針２０の基部は、４〜２５ｍｍ、好ましくは５〜１５ｍｍ、更に好ましくは５〜１２ｍｍ、より更に好ましくは６〜８ｍｍである。一方、キャップ３０によって掴まれる針２０の末端部は、２〜５ｍｍ、好ましくは約３ｍｍの長さである。キャップ３０がスライドして取り外されるときに、針２０が本体１０によってしっかりと掴まれたままでいるように、針２０の基部及び針２０の末端部の相対寸法を選定することが、好ましい。
【００２１】
キャップ３０は、シリコン、ポリテトラフルオロエチレン（ＰＴＦＥ）、又は油性ワックスを含んでもよい。これにより、キャップ３０内での針２０の掴む力が更に低減され、本体１０とキャップ３０との間の結合も更に弱められる。
【００２２】
更に、幾つかの実施形態において、キャップ３０は比較的柔らかいことが望ましく、すなわち、キャップ３０の材料は、使用後にランセットを再度キャップすることが望ましい場合、針２０による貫通に対して比較的ほとんど抵抗を示さないことが好ましい。たとえ、針２０が、使用前にキャップ３０内に位置する穴の中に、その通路を見つけない場合であっても、針２０を曲げたり壊したりする危険なく、再度キャップすることが、可能である。
【００２３】
図２に示すように、キャップ３０は、本体１０の孔１２、１４に類似した、孔３２、３４のような、係合機構も、備えている。キャップ及び本体を互いに対して保持し及び／又は移動させるのに使用できるよう設けられた、他の係合機構の型式も、可能である。
【００２４】
使用において、本体１０は、係合機構１２、１４の中にランセット装置の２つのバーを挿入することによって、係合機構１２、１４で係合され、キャップ３０は、係合機構３２、３４の中にランセット装置の別の２つのバーを挿入することによって、係合機構３２、３４で係合される。そして、キャップ３０は、キャップ３０を係合しているランセット装置のそれらのバーを末端方向に移動させることによって、及び／又は、本体１０を係合しているランセット装置のそれらのバーを基端方向に移動させることによって、本体１０に対して末端方向にスライドして取り外される。
【００２５】
第２実施形態は、図３〜９を参照して記載されている。図３に示すように、ランセット１は、また、本体１０及びキャップ３０を備えている。ランセットは、また、本体１０の中に埋め込まれた針２０を備えているが、これは図３では示されていない（しかし図７には示されている）。（図４に示された）境界面２５は、図２の実施形態のものに比べると、ずっと小さい。第１実施形態と同様に、キャップ３０は、相対的なスライド動作によって、ランセット１の残りから分離できる。図２に示される係合機構と類似の係合機構を、必要に応じて、備えてもよい。
【００２６】
図３の実施形態は、多数の、本体１０上の係合形態１５及びキャップ３０上の係合形態３７で、形成されている。係合形態１５は、本体１０の上面から盛り上がっており、概ね、フックの形状をしており、横方向外側に突き出た突端１６を備えている。係合形態１５は、末端部に向かって、先細の引き込み部１７を有してもよい。
【００２７】
同様に、キャップ３０上の係合形態３７も、概ね、フックの形状をしており、内側に突き出た突端３８を備えている。また、係合形態３７の基端部は、先細の引き込み部３３を有してもよい。
【００２８】
一旦、キャップ３０がランセット１の残りから取り外されると、キャップ３０は、引き込み部１７が引き込み部３３に隣接するまで、本体１０の上面に沿ってスライドできる。基端方向へのキャップ３０の更なるスライド動作は、突端３８が突端１６を通過するまで、弾性の係合形態３７を、外側に曲げるようにする。その後、弾性の係合形態３７は、係合形態１５が係合形態３７に係合されるよう、内側に緩む。係合形態１５、３７はフックの形状をしているので、キャップ３０が末端方向へのスライド動作によって本体１０から分離されることは、妨げられない。
【００２９】
キャップ３０を上方に移動させることによってキャップ３０が本体１０から分離されるのを防ぐためにも、係合形態１５は、引き込み部１７において、アンダーカットされており、対応する材料ウェブ３９が、係合形態３７に隣接して設けられる。一旦、係合形態３７が係合形態１５に係合されると、キャップ３０がまた上方への動作に対して制限されるように、材料ウェブ３９はアンダーカット部１７の「下方」に位置する。こうして、キャップ３０は、本体１０によって、しっかりと保持される。
【００３０】
図４は、図３に示されたランセットの下面を示している。凹部１８は、係合形態１５が上面に設けられた位置の下面に形成されている。これにより、図５に示すように、数個のランセット１ａ、１ｂ、１ｃをスタック１００のように、設けることが可能となる。好ましくは、ランセット１ａ、１ｂ、１ｃは、互いに、直接隣接している。
【００３１】
ランセットのキャップ３０は本体１０と係合するようにできると、上述したが、ランセットの好ましい使用では、特定のランセットのキャップ３０が同じランセットの本体１０に係合するようになっていない。しかしながら、第１ランセット１ａのキャップ３０ａは、第２ランセット１ｂの本体１０ｂと係合するようにできる。この目的のために、図５で示されるようなスタックが設けられる。そして、最上部のランセット１ａは、図６の矢印で示された基端方向に引っ込められる。これは、キャップ３０ａの係合形態３７を本体１０ｂの係合形態１５に係合させる。ランセット１ａの、本体１０ａとキャップ３０ａとの間の、結合力は、係合形態３７を係合形態１５と係合させるのに必要とされる力より、強いことが必要である。一旦、キャップ３０ａが本体１０ｂに係合されると、本体１０ａが基端方向へ更に移動する場合に、キャップ３０ａは本体１０ａから分離される。この状態は、図７で示されており、キャップされていないランセット１ａ（すなわち、本体１０ａ及び針２０）は、皮膚を刺すのに使用できる。キャップ３０ａは、本体１０ｂに残っている。そして、図８に示すように、次のランセット１ｂが、基端方向に引っ込められる。これにより、本体１０ｂ（キャップ３０ａを運ぶ）とキャップ３０ｂが、図８に示す状態に変わる。そして、キャップ３０ｂは、ランセット１ｃの本体１０ｃと係合され、本体１０ｂが更に引っ込められると、本体１０ｂはキャップ３０ｂから完全に分離される。そして、キャップされていないランセット１ｂ（すなわち、本体１０ｂ及び針２０）は、キャップ３０ａを持っていながらも、皮膚を刺すのに使用できる。これは図９に示されている。このように、使用できる状態にあるランセットは、スタックの最上部のランセットの本体を引っ込めることによって、スタック１００から簡単に分離できる。
【００３２】
スタックの最後のランセットの「下」にはランセットはないので、一組のダミーの係合形態を設けてもよく、例えば、一組のダミーの係合形態を、スタック１００が設けられるハウジングの底部に、形成してもよい。そして、最後のランセットは、引っ込められると、最後のキャップを、ハウジングのダミーの係合形態に係合させる。
【００３３】
第２実施形態の更に有利な点は、例えば、ランセットのスタックで切開するのに使用されるランセット装置の操作を妨げる可能性がある、分離されたキャップが、ないことである。
【００３４】
図６に関連して、ランセット１ａの、本体１０ａとキャップ３０ａとの間の結合力が、係合形態３７を係合形態１５と係合させるのに必要とされる力より強いことが必要であることは、上述している。他の第３実施形態では、このことは必ずしも必要ではない。ランセットは第２実施形態に従って形成される。しかしながら、第３実施形態では、ランセットは、最初、その本体１０によって基端方向に引っ張られるのではなく、キャップ３０がランセットの本体１０と下方で係合されるまでに、キャップ３０の上に加えられる力によって、基端方向に押される。その後、基端方向に押されたランセットの本体１０は、第２実施形態に関連して記載されたのと同じ方法で、引っ張られ、その結果、キャップ３０は、本体から分離される。このようにして、キャップと本体との間の結合力は、特に弱くされる。
【００３５】
上記記載のとおり、本発明は、好ましい実施形態に関して、記載されているが、これらの実施形態は説明のためだけのものであり、請求項はこれらの実施形態に限定されないと、理解されるべきである。当業者は、添付の請求項の範囲内に含まれているように考えられる開示内容を考慮して、修正や変更を行うことが可能である。本明細書に開示された又は説明された各特徴は、単独であっても、又は、ここに開示された又は説明された他の特徴との適切な組み合わせであっても、本発明に組み込むことができる。
【図面の簡単な説明】
【００３６】
【図１】本発明の第１実施形態のランセット（キャップなし）を示している。
【図２】第１実施形態のランセット（キャップあり）を示している。
【図３】本発明の第２実施形態のランセットの上方部分図である。
【図４】第２実施形態のランセットの下方部分図である。
【図５】第２実施形態の使用前のランセットのスタックを示している。
【図６】図５のランセットのスタックであって、１つのランセットが引っ込められた状態を示している。
【図７】図６のスタックであって、第１ランセットがスタックの残りから完全に取り外された状態を示している。
【図８】図７のスタックであって、第２ランセットが引っ込められた状態を示している。
【図９】図８のスタックであって、第２ランセットがスタックの残りから完全に取り外された状態を示している。
【図１】
2008541906.tif 000003
【図２】
2008541906.tif 000004
【図３】
2008541906.tif 000005
【図４】
2008541906.tif 000006
【図５】
2008541906.tif 000007
【図６】
2008541906.tif 000008
【図７】
2008541906.tif 000009
【図８】
2008541906.tif 000010
【図９】
2008541906.tif 000011
【国際調査報告】
2008541906.tif 000012
2008541906.tif 000013
2008541906.tif 000014
2008541906.tif 000015
2008541906.tif 000016